(57)【要約】【課題】通信回線環境の状況によって、テレビ電話画面表示の大きさを変更することのできる健康診断ネットワークシステムを提供する。【解決手段】患者端末Ａ１０３には、テレビ電話機能を備え、その通信手段として、電話回線手段２０１と、ＬＡＮ手段２０２を備え、どちらか一方に回線がつながっているかどうかを判別する回線認識手段２０３と、前記回線認識手段によってどちらかが認識された通信手段によって、テレビ電話の回線品質を制御するテレビ電話制御手段２０４と、前記テレビ電話を表示する表示手段２０６と、テレビ電話の音声を出力する音声出力手段２０５と、テレビ電話の音声を入力する音声入力手段２０７から構成され、利用者宅の回線環境によって、接続方法を電話回線手段２０１か、ＬＡＮ手段２０２のどちらか一方を自動で認識し、接続することができる。【選択図】図２
2007208607.tif 000002
【特許請求の範囲】
【請求項１】
操作者が操作する被測定者側端末と、情報を管理するサーバーと、医師が操作する医師端末とを通信ネットワーク網で結び、前記被測定者端末から被測定者の生体情報を測定した測定データ情報を前記サーバーへアップロードし記憶させ、前記記憶させた測定データ情報を前記医師端末で閲覧できる健康診断ネットワークシステムであって、前記被測定者側端末は、複数の通信手段と接続するための複数の通信接続手段と、前記複数の通信接続手段のうちのいずれが接続されているかを判別する回線認識手段と、テレビ電話手段と、少なくとも前記測定データまたは前記通信ネットワーク網を介して受信したデータのいずれかを表示する表示手段と、前記回線認識手段によって認識された通信手段に基づき前記テレビ電話手段の情報伝達量を制御するテレビ電話制御手段と、前記テレビ電話手段の音声を出力する音声出力手段と、前記テレビ電話の音声を入力する音声入力手段とを備え、同様の機能を備えた被測定者側端末で相互にテレビ電話実施環境を構築できることを可能とする健康診断ネットワークシステム。
【請求項２】
前記複数の通信接続手段のひとつが電話回線手段であり前記電話回線手段が使用された際には、前記テレビ電話制御手段により単位時間の情報伝達量を少なくし、前記複数の通信接続手段のひとつがＬＡＮ回線手段であり前記ＬＡＮ回線手段が使用された際には前記テレビ電話制御手段により単位時間の情報伝達量を多くすることを特徴とする請求項１に記載の健康診断ネットワークシステム。
【請求項３】
前記電話回線手段が使用された際には、テレビ電話制御手段によってビットレートを下げて、音声入出力手段にて音を調節し、前記ＬＡＮ手段が使用された際には、テレビ電話制御手段によってビットレートを上げて、音声入出力手段にて音を調節することを特徴とする請求項１または２に記載の健康診断ネットワークシステム。
【請求項４】
前記電話回線手段と、前記ＬＡＮ手段が両方とも使用されていた場合には、単位時間の情報伝達量が多いＬＡＮ手段を優先して使用する請求項１ないし３に記載の健康診断ネットワークシステム。
【請求項５】
前記テレビ電話接続中にいずれの通信手段でテレビ電話を行うかを前記表示手段にて表示を行う請求項１ないし４に記載の健康診断ネットワークシステム。
【請求項６】
前記テレビ電話接続中にいずれの通信手段でテレビ電話を行うかを前記音声出力手段にて音声出力を行う請求項１ないし５に記載の健康診断ネットワークシステム。
【請求項７】
複数の通信手段と接続するための複数の通信接続手段と、前記複数の通信接続手段のうちのいずれが接続されているかを判別する回線認識手段と、テレビ電話手段と、少なくとも前記測定データまたは前記通信ネットワーク網を介して受信したデータのいずれかを表示する表示手段と、前記回線認識手段によって認識された通信手段に基づき前記テレビ電話手段の情報伝達量を制御するテレビ電話制御手段と、前記テレビ電話手段の音声を出力する音声出力手段と、前記テレビ電話の音声を入力する音声入力手段とを備えた前記１ないし６に記載の健康診断ネットワークシステムで使用される被測定者側端末。
【請求項８】
前記電話回線手段が使用されたと前記回線認識手段が認識した際には、前記テレビ電話制御手段が表示手段によって単位時間の情報伝達量を少なくし、前記ＬＡＮ手段が使用されたと前記回線認識手段が認識した際には、前記テレビ電話制御手段が表示手段によって単位時間の情報伝達量を多くし前記電話回線手段時よりも大きめの画面表示を行うことを制御する制御方法。
【発明の詳細な説明】
【技術分野】
【０００１】
本発明は、通信回線状況によってテレビ電話の画面表示の大きさを変更して表示させる健康診断ネットワークシステムに関するものである。
【背景技術】
【０００２】
従来技術としては、センターの通話手段及び在宅端末はテレビ電話機能を備え、前記通話手段は音声による通話とテレビ電話とを選択的に切替えできるものが考案されている（例えば、特許文献１参照）。
【特許文献１】特開２００２−３５８３７０号公報
【発明の開示】
【発明が解決しようとする課題】
【０００３】
しかしながら、この従来技術には、次のような問題があった。
【０００４】
従来の健康端末装置は、操作者側である利用者宅にテレビ電話を掛けるか、または通常の電話を掛けるかを画面で選択でき、公衆回線（電話回線）、またはＬＡＮ回線を介して在宅端末と交信し、スピーカとマイクを使った音声による通話、または映像を表示するテレビ電話を成立させる方法であり、テレビ電話はＬＡＮのみに限定されており、ＬＡＮの設備が整っていない利用者宅には、電話回線しか使用できず、またＬＡＮを想定した画面の大きさであるので、電話回線を用いた場合、細い回線で大量の映像データを送信するにはコマ落ちしたり、映像の品質が落ちるなどの課題がある。
【０００５】
本発明は、このような従来の問題を解決するためになされたもので、通信回線環境の状況によって、単位時間の情報伝達量の大きい手段の場合と少ない手段の場合とでテレビ電話画面表示の大きさを変更することでコマ落ちすることなく、映像の品質の劣化を防ぐという効果を有する健康診断ネットワークシステムを提供することを目的とする。
【課題を解決するための手段】
【０００６】
本願発明は、操作者が操作する被測定者側端末と、情報を管理するサーバーと、医師が操作する医師端末とを通信ネットワーク網で結び、前記被測定者端末から被測定者の生体情報を測定した測定データ情報を前記サーバーへアップロードし記憶させ、前記記憶させた測定データ情報を前記医師端末で閲覧できる健康診断ネットワークシステムであって、前記被測定者側端末は、複数の通信手段と接続するための複数の通信接続手段と、前記複数の通信接続手段のうちのいずれが接続されているかを判別する回線認識手段と、テレビ電話手段と、少なくとも前記測定データまたは前記通信ネットワーク網を介して受信したデータのいずれかを表示する表示手段と、前記回線認識手段によって認識された通信手段に基づき前記テレビ電話手段の情報伝達量を制御するテレビ電話制御手段と、前記テレビ電話手段の音声を出力する音声出力手段と、前記テレビ電話の音声を入力する音声入力手段とを備え、同様の機能を備えた被測定者側端末で相互にテレビ電話実施環境を構築できることを可能とする健康診断ネットワークシステムを構成している。
【０００７】
この構成により、利用者宅の回線環境によって、接続方法を電話回線手段か、ＬＡＮ手段のどちらか一方を自動で認識し、接続することができる。
【０００８】
また、本願発明は、前記複数の通信接続手段のひとつが電話回線手段であり前記電話回線手段が使用された際には、前記テレビ電話制御手段により単位時間の情報伝達量を少なくし、前記複数の通信接続手段のひとつがＬＡＮ回線手段であり前記ＬＡＮ回線手段が使用された際には前記テレビ電話制御手段により単位時間の情報伝達量を多くすることを特徴とする。
【０００９】
この構成により、利用者宅の環境によって、ＬＡＮが使用できる環境下ではＬＡＮ端子にＬＡＮケーブルを差し込むと、被測定者側端末が自動認識し、テレビ電話使用時の画面を例えば、「６４０×４８０」のＶＧＡ表示を行い、ＬＡＮが使用できる環境がなく、モデム端子のみしか使用できない環境下では、モデム端子に電話線を差し込むと、被測定者側端末が自動認識し、テレビ電話使用時の画面を例えば、「３２０×２４０」のＱＶＧＡ表示を行うことを特徴とする。
【００１０】
また、本願発明は、前記電話回線手段が使用された際には、テレビ電話制御手段によってビットレートを下げて、音声入出力手段にて音を調節し、前記ＬＡＮ手段が使用された際には、テレビ電話制御手段によってビットレートを上げて、音声入出力手段にて音を調節する。
【００１１】
この構成により、利用者宅の環境によって、ＬＡＮが使用できる環境下ではＬＡＮ端子にＬＡＮケーブルを差し込むと、被測定者側端末が自動認識し、テレビ電話使用時の音質を例えば、10〜100[Mbps]のビットレートで行い、ＬＡＮが使用できる環境がなく、モデム端子のみしか使用できない環境下では、モデム端子に電話線を差し込むと、被測定者側端末が自動認識し、テレビ電話使用時の画面を例えば、28〜56[kbps]のビットレートで行うことを特長とする。
【００１２】
また、本願発明は、前記電話回線手段と、前記ＬＡＮ手段が両方とも使用されていた場合には、単位時間の情報伝達量が多いＬＡＮ手段を優先して使用する健康診断ネットワークシステムを構成している。
【００１３】
この構成により、両方とも使用可能な場合、情報量が少ないナローバンドである回線の電話回線で品質の悪いテレビ電話を行うことなく、情報量が多いブロードバンドである回線のＬＡＮ環境で高品質のテレビ電話を行うことを特長とする。
【００１４】
また、本願発明は、前記テレビ電話接続中にいずれの通信手段でテレビ電話を行うかを前記表示手段にて表示を行う健康診断ネットワークシステムを構成している。
【００１５】
この構成により、被測定者側端末の利用者はテレビ電話使用前に、前もってどの画面の大きさ・品質でテレビ電話を行うのかを知ることができる。
【００１６】
また本願発明は、前記テレビ電話接続中にいずれの通信手段でテレビ電話を行うかを前記音声出力手段にて音声出力を行う健康診断ネットワークシステムを構成している。
【００１７】
この構成により、被測定者側端末の利用者はテレビ電話使用前に、前もってどの画面の大きさ・品質でテレビ電話を行うのかを音声によって知ることができる。
【００１８】
また、本願発明は、前記電話回線手段が使用されたと前記回線認識手段が認識した際には、前記テレビ電話制御手段が表示手段によって小さめの画面表示を行うことを制御し、前記ＬＡＮ手段が使用されたと前記回線認識手段が認識した際には、前記テレビ電話制御手段が表示手段によって大きめの画面表示を行うことを制御する制御方法を備えたものである。
【００１９】
この制御方法により、利用者宅の環境によって、ＬＡＮが使用できる環境下ではＬＡＮ端子にＬＡＮケーブルを差し込むと、被測定者側端末が自動認識し、テレビ電話使用時の画面を例えば、「６４０×４８０」のＶＧＡ表示を行い、ＬＡＮが使用できる環境がなく、モデム端子のみしか使用できない環境下では、モデム端子に電話線を差し込むと、被測定者側端末が自動認識し、テレビ電話使用時の画面を例えば、「３２０×２４０」のＱＶＧＡ表示を行うことを特徴とする。
【発明の効果】
【００２０】
以上のように、本発明によれば、モデム環境か、ＬＡＮ環境か、など、被測定者側端末である健康端末装置の利用者宅の環境により、通信端子にどちらが挿入されているかを自動認識して、それぞれの回線環境に合った画面の大きさで、テレビ電話を行うことにより、コマ落ちすることなく、映像の品質の劣化を防ぐという効果を有する健康診断ネットワークシステムを提供することができるものである。
【発明を実施するための最良の形態】
【００２１】
以下、本発明の実施の形態の健康診断ネットワークシステムについて、図面を用いて説明する。
【００２２】
本発明の実施の形態における健康診断ネットワークシステムの構成図を図１に示す。
【００２３】
被測定者側端末である患者端末Ａ１０３、患者端末Ｂ１０４は、通信ネットワーク網１０２を介して測定データあるいは医師のコメント等の情報を保存、管理するセンターサーバー１０１に接続されている。
【００２４】
患者端末Ａ１０３や、患者端末Ｂ１０４は、宅内に設置され、センターサーバー１０１から得られる情報を画面表示や音声で報知する。医師端末１０５も通信ネットワーク１０２を介して、センターサーバー１０１や、患者端末Ａ１０３や、患者端末Ｂ１０４に相互接続されている。本実施の形態においては、患者端末が通信ネットワーク網に複数個接続されることを想定し、図中も複数個示している。
【００２５】
次に図２にて、健康診断ネットワークシステムの本発明におけるブロック図を示す。
【００２６】
患者端末Ａ１０３及び、患者端末Ｂ１０４において、電話回線手段２０１及び、電話回線手段２０８はダイヤルアップ回線などのモデム接続をするナローバンドな通信回線手段であり、ＬＡＮ手段２０２及び、ＬＡＮ手段２０９はインターネット回線を利用したブロードバンド環境を有する通信回線手段であり、これらは、回線認識手段２０３、２１０と接続されている。テレビ電話制御手段２０４及び、テレビ電話制御手段２１１は、回線認識手段２０３及び、回線認識手段２１０から得られた回線状況によって、画面・音声の品質を制御し、その回線状況によって、音声出力手段２０５及び、音声出力手段２１２、表示手段２０６及び、表示手段２１３、音声入力手段２０７及び、音声入力手段２１４によって、画質・音質が変更される。ここで、患者端末Ａ１０３と、患者端末Ｂ１０４は通信ネットワーク網１０２にて相互に接続されており、お互いテレビ電話ができる環境にある。また、医師端末１０５も通信ネットワーク網１０２にて相互に接続されているので、前記患者端末Ａ１０３及び、前記患者端末Ｂ１０４と同様に、テレビ電話可能な相手である。
【００２７】
以上のように構成された健康診断ネットワークシステムについて、本発明の動作を図３のフローチャートを用いて詳細に説明する。
【００２８】
本健康診断ネットワークシステムにおけるテレビ電話機能において、まず患者端末Ａ１０３が患者端末Ｂ１０４へ電話をかける（図３のＳ０１）。その前提として、患者端末Ａ１０４には電話回線手段２０１にモデムケーブルが挿入されてあるか、または、ＬＡＮ手段２０２にＬＡＮケーブルが挿入されているものとする。仮に、前者電話回線手段２０１にモデムケーブルが挿入されてある場合、回線認識手段２０３が作動（図３のＳ０２）し、回線認識手段２０３によって、モデムケーブルが挿入されていることを判別（図３のＳ０３）する。
【００２９】
前記回線種別判別によって、電話回線であると認識されたことによって、ＬＡＮ環境よりも単位時間の情報伝達量が少ないことから、そのままＬＡＮ環境時と同様の画面サイズで表示しようとすると、コマ落ちしたり、映像の品質が劣化する可能性があるため、情報量に応じて画面サイズを小さくし、画面表示を例えば「３２０×２４０」のＱＶＧＡ表示に切換えるようにテレビ電話制御手段２０４は制御を行う（図３のＳ０４）。
【００３０】
モデムケーブル接続時のテレビ電話制御手段２０４の具体的な制御方法としては、挿入されている回線が、電話回線であるので、例えば、表示手段２０６にて図４の様に『現在、モデム端子に接続されていますので、画面表示を「３２０×２４０」で表示します。』と表示を行ったり、音声出力手段２０５にて、『現在、モデム端子に接続されていますので、画面表示を「３２０×２４０」で表示します。』などと音声案内を行い、その音声もその品質にあったビットレート（例えば28〜56[kbps]）で行う（図３のＳ０５）。
【００３１】
一方、前者電話回線手段２０２にＬＡＮケーブルが挿入されてある場合、回線認識手段２０３が作動（図３のＳ０２）し、回線認識手段２０３によって、ＬＡＮケーブルが挿入されていることを判別（図３のＳ０３）する。
【００３２】
前記回線種別判別によって、ＬＡＮであると認識されたことによって、テレビ電話制御手段２０４は、電話回線の場合よりも大きな画面表示も可能となるので、例えば「６４０×４８０」のＶＧＡ表示を行うよう制御を行う（図３のＳ０６）。
【００３３】
ＬＡＮケーブル接続時のテレビ電話制御手段２０４の具体的な制御方法としては、挿入されている回線が、ＬＡＮであるので、例えば、表示手段２０６にて図５の様に『現在、ＬＡＮ端子に接続されていますので、画面表示を「６４０×４８０」で表示します。』と表示を行ったり、音声出力手段２０５にて、『現在、ＬＡＮ端子に接続されていますので、画面表示を「６４０×４８０」で表示します。』などと音声案内を行い、その音声もその品質にあったビットレート（例えば10〜100[Mbps]）で行う（図３のＳ０７）。
【００３４】
また、電話回線手段２０１とＬＡＮ手段２０２の両方ともモデムケーブルや、ＬＡＮケーブルが挿入されている場合には、単位時間の情報伝達量が多く回線品質がよいＬＡＮ手段を優先して使用することによって、どちらを選択したらよいか意識することなく常に高品質のテレビ電話を行うことを可能とする。
【００３５】
以上より、このような本発明の実施の形態の健康診断ネットワークシステムによれば、患者端末Ａには、テレビ電話機能を備え、その通信手段として、電話回線手段２０１と、ＬＡＮ手段２０２を備え、どちらか一方に回線がつながっているかどうかを判別する回線認識手段２０３と、前記回線認識手段によってどちらかが認識された通信手段によって、テレビ電話の回線品質を制御するテレビ電話制御手段２０４と、前記テレビ電話を表示する表示手段２０６と、テレビ電話の音声を出力する音声出力手段２０５と、テレビ電話の音声を入力する音声入力手段２０７を設けることにより、モデム環境か、ＬＡＮ環境か、など、健康端末装置の利用者宅の環境により、通信端子にどちらが挿入されているかを自動認識して、それぞれの回線環境に合った画面の大きさで、テレビ電話を行うことにより、コマ落ちすることなく、映像の品質の劣化を防ぐという効果を有する健康診断ネットワークシステムを提供することができることが可能となる。
【００３６】
なお、以上の健康診断ネットワークシステムの手段の少なくとも一部をコンピューターで実行させるプログラムとしてＣＰＵ（マイコン）、ＲＡＭ、ＲＯＭ、記憶装置、Ｉ／Ｏなどを備えた電気情報機器、コンピューター、サーバー等のハードリソースを協働させて、健康診断ネットワークシステムの一部あるいは全てを容易に実現することができる。また記録媒体に記録したり通信回線を用いてプログラムを配信したりすることでプログラムの配布やインストール作業も簡単に実施することが可能である。
【産業上の利用可能性】
【００３７】
以上のように、本発明にかかる健康診断ネットワークシステムは、モデム環境か、ＬＡＮ環境か、など、健康端末装置の利用者宅の環境により、通信端子にどちらが挿入されているかを自動認識して、それぞれの回線環境に合った画面の大きさで、テレビ電話を行うことにより、コマ落ちすることなく、映像の品質の劣化を防ぐという効果を有し、通信回線状況によってテレビ電話の画面表示の大きさを変更して表示させる健康診断ネットワークシステムに関して有用である。
【図面の簡単な説明】
【００３８】
【図１】本発明の実施例における健康診断ネットワークシステムの構成図
【図２】本発明の実施例における健康診断ネットワークシステムのブロック図
【図３】本発明の実施例における健康診断ネットワークシステムのフローチャート
【図４】本発明の実施例における健康診断ネットワークシステムの画面表示図
【図５】本発明の実施例における健康診断ネットワークシステムの画面表示図
【符号の説明】
【００３９】
１０１    センターサーバー
１０２    通信ネットワーク網
１０３    患者端末Ａ
１０４    患者端末Ｂ
１０５    医師端末
２０１    電話回線手段
２０２    ＬＡＮ手段
２０３    回線認識手段
２０４    テレビ電話制御手段
２０５    音声出力装置
２０６    表示手段
２０７    音声入力手段
２０８    電話回線手段
２０９    ＬＡＮ手段
２１０    回線認識手段
２１１    テレビ電話制御手段
２１２    音声出力装置
２１３    表示手段
２１４    音声入力手段
【図１】
2007208607.tif 000003
【図２】
2007208607.tif 000004
【図３】
2007208607.tif 000005
【図４】
2007208607.tif 000006
【図５】
2007208607.tif 000007